【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
患者の心臓に関する情報を提供する方法であって、前記方法は、
前記患者の心腔内の複数の心拍周期にかかる電気活動に応答して、前記心腔内の複数の位置にある１つ以上の電極から信号を計測するステップと、
二重振れを有する前記心臓の領域、複数の振れを有する前記心臓の領域、分画を有する前記心臓の領域、二重活性化を有する前記心臓の領域、及び活性化を有さない前記心臓の領域のうちの少なくとも１つを同定するために、コンピュータにより、１つ以上の演算子を前記計測された信号に適用することで、前記計測された信号についての注釈情報を生成するステップと、
前記コンピュータにより、少なくともいくつかの注釈情報を含む前記患者の心臓の電気解剖学的画像を生成するステップと、
指定の計測された信号についての前記注釈情報への変更を操作者から受信するステップと、
前記コンピュータにより、１つ以上の追加の計測された信号についての注釈情報を、前記変更に基づいて修正するステップと、を備える方法。
【請求項２】
前記注釈情報を生成するステップは、前記計測された信号に、二重振れを検出するためのアルゴリズムを適用するステップを備え、
前記電気解剖学的画像を生成するステップは、二重振れの領域を同定するステップを備えている、請求項１に記載の方法。
【請求項３】
注釈情報を生成するステップは、前記計測された信号に、分画を検出するためのアルゴリズムを適用するステップを備え、
前記電気解剖学的画像を生成するステップは、分画の領域を同定するステップを備えている、請求項１に記載の方法。
【請求項４】
前記注釈情報を生成するステップは、前記計測された信号に、活性化を有さないことを検出するためのアルゴリズムを適用するステップを備え、
前記電気解剖学的画像を生成する前記ステップは、活性化を有さない領域を同定するステップを備える、請求項１に記載の方法。
【請求項５】
前記１つ以上の追加の計測された信号についての前記注釈情報を修正するステップは、指定の計測された信号と空間的に近接している１つ以上の追加の計測された信号についての前記注釈情報を自動調整するステップを備える、請求項１に記載の方法。
【請求項６】
前記注釈情報を生成するステップは、指定の電位図と空間的または時間的に隣接している電位図に基づいて、注釈情報を生成するステップを備える、請求項１に記載の方法。
【請求項７】
前記注釈情報を生成するステップは、特定の場所に対応する電極の場所にて計測された信号と、前記特定の場所に対応した前記電極の場所と空間的に近接した１つ以上の追加の電極の場所にて計測された信号とに基づいて、心内膜の特定の場所についての注釈情報を生成するステップを備える、請求項１に記載の方法。
【請求項８】
１つ以上の電極を備えたカテーテルを心腔内に挿入するステップと、
前記カテーテルを前記心腔内の複数の異なる場所の各々へ移動させるステップと、をさらに備える、請求項１に記載の方法。
【請求項９】
前記複数の位置で計測された前記信号を、ある心拍周期に従って互いに同期させるステップをさらに備える、請求項１に記載の方法。
【請求項１０】
前記心腔の処置を誘導するために、患者の心臓の電気解剖学的画像を使用するステップをさらに備える、請求項１に記載の方法。
【請求項１１】
前記処置は、前記心臓の１つ以上の選択した領域の焼灼を備えている、請求項１０に記載の方法。
【請求項１２】
前記処置は、細胞治療、遺伝子治療、またはその他の生物学的薬剤の適用を備えている、請求項１０に記載の方法。
【請求項１３】
患者の心臓に関する情報を提供する方法であって、前記方法は、
複数の心拍周期にかけての前記患者の心腔内の電気活動に応答して、前記心腔内の複数の位置にある１つ以上の電極からの信号を計測するステップと、
コンピュータによって、指定の計測された信号と、空間的または時間的に隣接する計測された信号とに、１つ以上の演算子を適用することで、前記計測された信号についての注釈情報を生成するステップと、
前記コンピュータによって、前記注釈情報の少なくともいくつかを含んだ、前記患者の心臓の電気解剖学的画像を生成するステップと、
指定の計測された信号についての前記注釈情報への変更を操作者から受信するステップと、
前記コンピュータによって、１つ以上の追加の計測された信号についての注釈情報を、前記変更に基づいて修正するステップと、を備える、方法。
【請求項１４】
前記注釈情報を生成するステップは、二重振れを有する前記心臓の領域、複数の振れを有する前記心臓の領域、分画を有する前記心臓の領域、二重活性化を有する前記心臓の領域、及び前記心臓の活性化を有さない領域のうちの少なくとも１つを同定するために、前記計測された信号に１つ以上の演算子を適用するステップを備えている、請求項１３に記載の方法。
【請求項１５】
前記注釈情報を修正するステップは、前記コンピュータによって注釈情報を自動修正するステップを備える、請求項１３に記載の方法。
【請求項１６】
前記１つ以上の追加の計測された信号についての前記注釈情報を修正するステップは、前記指定の計測された信号と空間的に近接している１つ以上の追加の計測された信号についての注釈情報を自動調整するステップを備える、請求項１３に記載の方法。
【請求項１７】
前記指定の計測された信号と空間的に近接している前記計測された信号は、前記指定の計測された信号に対して設定された距離内の位置における信号を備える、請求項１６に記載の方法。
【請求項１８】
前記１つ以上の電極で計測された前記信号は電位図を備えている、請求項１３に記載の方法。
【請求項１９】
指定の電位図の前記注釈情報への変更を操作者から受信するステップと、
前記コンピュータによって、その他の電位図のための前記注釈情報を、前記指定の電位図のための注釈情報への操作者による変更に基づいて、自動調整するステップと、をさらに備える、請求項１８に記載の方法。
【請求項２０】
空間的に隣接している電位図は、事前定義された距離内にある電位図を備えている、請求項１３に記載の方法。
【請求項２１】
前記注釈情報を生成するステップは、
複数の振れを含む電位図について、前記複数の振れの中の１つの振れを、前記複数の振れのタイミング情報と、空間的に隣接している電位図中の振れのタイミング情報とに基づいて選択するステップと、
前記注釈情報を決定するために、前記選択した振れを使用するステップと、を備える、請求項１３に記載の方法。
【請求項２２】
前記注釈情報を生成するステップは、特定の場所と対応する電極の場所にて計測された信号と、前記特定の場所に対応する前記電極の場所と空間的に近接している場所にある１つ以上の追加の電極において計測された信号とに基づいて、心内膜の特定の場所についての注釈情報を生成するステップを備える、請求項１３に記載の方法。
【請求項２３】
前記特定の場所と空間的に近接している場所での１つ以上の追加の電極は、前記特定の場所までの所定の距離内に１つ以上の追加の電極を備えている、請求項２２に記載の方法。
【請求項２４】
前記注釈情報を生成するステップは、特定の拍動に対応した電極の場所で計測された信号と、同じ電極での１つ以上の先行の拍動において計測された信号とに基づいて、心内膜の特定の場所についての注釈情報を生成するステップを備える、請求項１または１３に記載の方法。
【請求項２５】
前記注釈情報を生成するステップは、局所的なタイミング情報を求めるために、前記信号が計測された位置についての空間的情報を使用するステップを備える、請求項１３に記載の方法。
【請求項２６】
前記心腔の処置を誘導するために、患者の心臓の電気解剖学的画像を使用するステップをさらに備える、請求項１または１３に記載の方法。
【請求項２７】
全信号よりも少ない信号のサブセットを選択し、前記選択した全信号よりも少ない信号のサブセットに基づいて、前記患者の心臓の電気解剖学的画像を生成するステップをさらに備える、請求項１または１３に記載の方法。
【請求項２８】
患者の心臓に関する情報を提供するシステムであって、前記システムは、
複数の心拍周期にかけての前記患者の心腔内の電気活動に応答して、前記心腔内の複数の位置で信号を計測するための１つ以上の電極と、
前記１つ以上の電極に連結された電子プロセッサと、を備えており、前記電子プロセッサは、
二重振れを有する心臓の領域、複数の振れを有する前記心臓の領域、分画を有する前記心臓の領域、二重活性化を有する前記心臓の領域、及び活性化を有さない前記心臓の領域のうちの少なくとも１つを同定するために、前記計測された信号に１つ以上の演算子を適用することにより、前記計測された信号についての注釈情報を生成し、
少なくともいくつかの注釈情報を含んだ、前記患者の心臓の電気解剖学的画像を生成し、
指定の計測された信号について自動生成された注釈情報への変更を操作者から受信し、
前記変更に基づいて、１つ以上の追加の計測された信号についての注釈情報を修正する、ように構成されている、システム。
【請求項２９】
前記電子プロセッサは、前記計測された信号に、二重振れを検出するためのアルゴリズムを適用することで、注釈情報を生成するように構成されており、
前記電子プロセッサは、二重振れの領域を同定することで、電気解剖学的画像を生成するように構成されている、請求項２８に記載のシステム。
【請求項３０】
前記電子プロセッサは、前記計測された信号に、分画を検出するためのアルゴリズムを適用することにより、注釈情報を生成するように構成されており、
前記電子プロセッサは、分画の領域を同定することによって、電気解剖学的画像を生成するように構成されている、請求項２８に記載のシステム。
【請求項３１】
前記電子プロセッサは、前記計測された信号に、活性化なしを検出するためのアルゴリズムを適用することにより、注釈情報を生成するように構成されており、
前記電子プロセッサは、活性化のない領域を同定することにより、電気解剖学的画像を生成するように構成されている、請求項２８に記載のシステム。
【請求項３２】
前記電子プロセッサはさらに、指定の計測された信号についての活性化時間の変更を操作者から受信し、
前記操作者による変更に基づいて、１つ以上の追加の計測された信号について活性化時間を自動調整するように構成されている、請求項２８に記載のシステム。
【請求項３３】
前記１つ以上の電極において計測された信号のうち少なくともいくつかは電位図を備えている、請求項２８に記載のシステム。
【請求項３４】
前記電子プロセッサは、指定の電位図と、空間的または時間的に隣接し合った電位図とに基づいて前記注釈情報を生成するように構成されている、請求項３３に記載のシステム。
【請求項３５】
空間的に隣接し合った電位図は、指定の計測された信号に対して設定された距離内に電位図を備えている、請求項３３に記載のシステム。
【請求項３６】
前記電子プロセッサは、
複数の振れを含んでいる電位図について、前記複数の振れについてのタイミング情報と、空間的に隣接し合った電位図の振れについてのタイミング情報とに基づき、前記複数の振れの中から１つの振れを選択することと、
前記選択した振れを使用して、注釈情報を決定することと、によって、注釈情報を生成するように構成されている、請求項２８に記載のシステム。
【請求項３７】
空間的に隣接し合った電位図は、指定の計測された信号に対して設定された距離内にある電位図を備えている、請求項３６に記載のシステム。
【請求項３８】
前記電子プロセッサは、心内膜の特定の場所に対応する電極の場所で計測された信号と、前記特定の場所に対応する前記電極の場所と空間的に近接した場所における１つ以上の追加の電極にて計測された信号とに基づいて、心内膜の特定の場所についての注釈情報を生成することにより、注釈情報を生成するように構成されている、請求項２８に記載のシステム。
【請求項３９】
患者の心臓についての情報を提供するシステムであって、前記システムは、
複数の心拍周期にかけての前記患者の心腔内の電気活動に応答して、心腔内の複数の位置にて信号を計測するための１つ以上の電極と、
前記１つ以上の電極に連結された電子プロセッサと、を備え、前記電子プロセッサは、
指定の計測された信号と、空間的または時間的に隣接し合う計測された信号とに、１つ以上の演算子を適用することで、前記計測された信号についての注釈情報を生成し、
少なくともいくつかの注釈情報を含んだ、前記患者の心臓の電気解剖学的画像を生成し、
指定の計測された信号についての前記注釈情報への変更を操作者から受信し、
前記変更に基づいて、１つ以上の追加の計測された信号についての注釈情報を修正する、ように構成されている、システム。
【請求項４０】
前記電子プロセッサはさらに、前記心臓の二重振れを有する領域、前記心臓の複数の振れを有する領域、前記心臓の分画を有する領域、前記心臓の二重活性化を有する領域、及び前記心臓の活性化を有さない領域のうち少なくとも１つを同定するべく、前記計測された信号に１つ以上の演算子を適用することにより、前記注釈情報を生成するように構成されている、請求項３９に記載のシステム。
【請求項４１】
前記電子プロセッサはさらに、前記指定の計測された信号と空間的に近接している１つ以上の追加の計測された信号についての注釈情報を自動調整することにより、１つ以上の追加の計測された信号についての注釈情報を調整するように構成されている、請求項２８または３９に記載のシステム。
【請求項４２】
前記指定の計測された信号と空間的に近接している前記計測された信号は、前記指定の計測された信号に対して設定された距離内の位置にある信号を備えている、請求項４１に記載のシステム。
【請求項４３】
前記１つ以上の電極にて計測された前記信号は電位図を備えている、請求項３９に記載のシステム。
【請求項４４】
前記電子プロセッサはさらに、
指定の電位図についての注釈情報への変更を操作者から受信し、
前記操作者による前記指定の電位図についての前記注釈情報への変更に基づいて、その他の電位図についての注釈情報を自動調整する、ように構成された、請求項４３に記載のシステム。
【請求項４５】
前記空間的に隣接し合った電位図は、事前定義された距離内にある電位図を備えている、請求項３９に記載のシステム。
【請求項４６】
前記電子プロセッサはさらに、
複数の振れを含んでいる電位図について、複数の振れについてのタイミング情報と、空間的に隣接し合う電位図の振れについてのタイミング情報とに基づいて、複数の振れの中から１つの振れを選択し、
注釈情報を決定するために、前記選択した振れを使用することにより、前記注釈情報を生成するように構成されている、請求項４４に記載のシステム。
【請求項４７】
前記電子プロセッサはさらに、心内膜の特定の場所に対応している電極の場所で計測された信号と、前記特定の場所に対応した前記電極の場所と空間的に近接する場所にある１つ以上の追加の電極にて計測された信号とに基づいて、前記心内膜の前記特定の場所についての注釈情報を生成することにより、前記注釈情報を生成するように構成されている、請求項３９に記載のシステム。
【請求項４８】
前記特定の場所と空間的に近接した場所における前記１つ以上の追加の電極は、前記特定の場所に対して事前定義された距離内に１つ以上の追加の電極を備えている、請求項４７に記載のシステム。
【請求項４９】
前記電子プロセッサはさらに、特定の心拍に対応した電極の場所にて計測された前記信号と、同じ電極において１つ以上の先行の心拍にて計測された信号とに基づいて、心内膜の特定の場所についての注釈情報を生成することにより、前記注釈情報を生成するように構成されている、請求項２８または３９に記載のシステム。
【請求項５０】
前記電子プロセッサはさらに、局所的なタイミング情報を決定するために前記信号が計測された前記位置についての空間的情報を使用して、注釈情報を生成するように構成されている、請求項３９に記載のシステム。
【請求項５１】
前記１つ以上の電極は、心臓内カテーテル上に１つ以上の電極を備えている、請求項２８または３９に記載のシステム。
【請求項５２】
患者の心臓に関する情報を提供する方法であって、前記方法は、
複数の心拍周期にかけての前記患者の心腔内の電気活動に応答して、前記心腔内の複数の位置にある１つ以上の電極から信号を計測するステップと、
コンピュータにより、前記計測された信号に１つ以上の演算子を適用することで、前記計測された信号についての注釈情報を生成するステップと、
指定の計測された信号についての注釈情報への変更を操作者から受信するステップと、
前記コンピュータにより、前記変更に基づいて、１つ以上の追加の計測された信号についての注釈情報を修正するステップと、
前記コンピュータにより、少なくともいくつかの注釈情報と、少なくともいくつかの修正された注釈情報とを含んだ、前記患者の心臓の電気解剖学的画像を生成するステップと、を備える方法。
【請求項５３】
前記注釈情報を生成するステップは、二重振れを有する前記心臓の領域、複数の振れを有する前記心臓の領域、分画を有する前記心臓の領域、二重活性化を有する前記心臓の領域、及び活性化を有さない前記心臓の領域のうちの少なくとも１つを同定するステップを備える、請求項５２に記載の方法。
【請求項５４】
前記１つ以上の追加の計測された信号について前記注釈情報を修正するステップは、前記指定の計測された信号と空間的に近接している１つ以上の追加の計測された信号についての注釈情報を自動調整するステップを備える、請求項５２に記載の方法。
【請求項５５】
前記１つ以上の追加の計測された信号についての前記注釈情報を修正するステップは、前記指定の計測された信号と時間的に近接している１つ以上の追加の計測された信号についての注釈情報を自動調整するステップを備える、請求項５２に記載の方法。
【請求項５６】
前記注釈情報を生成するステップは、指定の電位図と、空間的または時間的に隣接し合った電位図とに基づいて、注釈情報を生成するステップを備える、請求項５２に記載の方法。
【請求項５７】
前記１つ以上の電極は、心臓内カテーテル上に１つ以上の電極を備える、請求項１、１３および５２のいずれか一項に記載の方法。
【手続補正２】
【補正対象書類名】明細書
【補正対象項目名】発明の名称
【補正方法】変更
【補正の内容】
【発明の名称】患者の心臓に関する情報を提供する方法およびシステム